(57)【要約】      （修正有）【課題】特定多数の顧客に機能商品情報を簡便、短時間かつ正確に伝え、特定顧客の要望をタイムリーに聴取できる販売促進システムを提供する。【解決手段】機能商品を販売するサプライヤーのホストコンピューターＨＣと、代理店の端末ＴＡと、特定多数の顧客の端末ＴＣと、サプライヤーの端末ＴＳとがインターネット等を介して接続され、ＨＣがＴＣやＴＡやＴＳとの間で送受信できる送受信部及び特定多数の顧客に関する情報データ等を格納できるデータ格納部を備え、ＴＣに機能商品情報を送信する手段ａ、ＴＣから受信する手段ｂ、ＴＣに追加情報を送信する手段ｃ、追加情報、質問に対する回答のいずれかを要求する要求情報をＴＣから受信する手段ｄ、ＴＳに受信手段ｄにより受信した要求情報等を送信する手段ｅ、ＴＡに受信手段ｄにより受信した要求情報等を送信する手段ｆ、並びに手段ａ〜ｆにより送受信した情報等をデータ格納部に格納する格納手段を備える。【選択図】図５
2014016750.tif 000002
【特許請求の範囲】
【請求項１】
機能商品を販売するサプライヤーが所有・管理するホストコンピューター（ＨＣ）と、サプライヤーを代理する代理店が所有・管理する端末装置（ＴＡ）と、特定多数の顧客が所有・管理する端末装置（ＴＣ）と、サプライヤーが所有・管理する端末装置（ＴＳ）とがインターネット又はイントラネットを介して接続されたシステムであって、
ホストコンピューター（ＨＣ）が、顧客が所有・管理する端末装置（ＴＣ）との間でインターネットを介して送受信できる送受信部（１）と、代理店が所有・管理する端末装置（ＴＡ）との間でインターネットを介して送受信できる送受信部（２）と、サプライヤーが所有・管理する端末装置（ＴＳ）との間でインターネット又はイントラネットを介して送受信できる送受信部（３）と、特定多数の顧客に関する情報データ、代理店に関する情報データ、特定の顧客と代理店とを関連付けた顧客・代理店データ及び送受信日時データを格納できるデータ格納部（４）とを備え；
ホストコンピューター（ＨＣ）が送受信部（１）を介して送受信する手段であって、
顧客が所有・管理する端末装置（ＴＣ）に対して、機能商品に関する情報を送信する送信手段（ａ）と、
機能商品に関する追加情報を要求する要求情報を顧客が所有・管理する端末装置（ＴＣ）から受信する受信手段（ｂ）と、
顧客が所有・管理する端末装置（ＴＣ）に対して、機能商品に関する追加情報を送信する送信手段（ｃ）とを備え；
ホストコンピューター（ＨＣ）が送受信部（１）、送受信部（２）及び送受信部（３）を介して送受信する手段であって、
機能商品に関する追加情報、機能商品の試供品又は機能商品に関する質問に対する回答のいずれかを要求する要求情報を顧客が所有・管理する端末装置（ＴＣ）から受信する受信手段（ｄ）と、
サプライヤーが所有・管理する端末装置（ＴＳ）に対して、受信手段（ｄ）により受信した要求情報及び受信日時を送信する送信手段（ｅ）と、
データ格納部（４）に格納された「特定の顧客と代理店とを関連付けた顧客・代理店データ」に基づいて、特定の顧客に関連付けられた代理店が所有・管理する端末装置（ＴＡ）に対して、受信手段（ｄ）により受信した要求情報及び受信日時を送信する送信手段（ｆ）とを備え；
送信手段（ａ）により送信した機能商品に関する情報及び送信日時、受信手段（ｂ）により受信した要求情報及び受信日時、送信手段（ｃ）により送信した機能商品に関する追加情報及び送信日時、受信手段（ｄ）により受信した要求情報及び受信日時、送信手段（ｅ）により送信した送信情報及び送信日時、並びに送信手段（ｆ）により送信した送信情報及び送信日時をデータ格納部（４）に格納する格納手段（ｓ）を備えることを特徴とする販売促進システム。
【請求項２】
ホストコンピューター（ＨＣ）が送受信部（１）、送受信部（２）及び送受信部（３）を介して送受信する手段であって、
顧客が所有・管理する端末装置（ＴＣ）に対して、機能商品に関する追加情報を送信する送信手段（ｇ）；
データ格納部（４）に格納された「特定の顧客と代理店とを関連付けた顧客・代理店データ」に基づいて、特定の顧客に関連付けられた代理店が所有・管理する末端装置（ＴＡ）又はサプライヤーが所有・管理する端末装置（ＴＳ）に対して、機能商品の試供品の発送を指示する指示情報を送信する送信手段（ｈ）；又は、
サプライヤーが所有・管理する端末装置（ＴＳ）に対して、機能商品に関する質問に対して回答を指示する指示情報を送信する送信手段（ｉ）を備え、
送信手段（ｇ）により送信した追加情報及び送信日時、送信手段（ｈ）により送信した指示情報及び送信日時、又は送信手段（ｉ）により送信した指示情報及び送信日時をデータ格納部（４）に格納する格納手段（ｔ）を備える請求項１に記載の販売促進システム。
【請求項３】
ホストコンピューター（ＨＣ）が送受信部（１）、送受信部（２）及び送受信部（３）を介して送受信する手段であって、
受信手段（ｄ）により機能商品の試供品を要求する要求情報を顧客が所有・管理する端末装置（ＴＣ）から受信した場合、代理店が所有・管理する末端装置（ＴＡ）又はサプライヤーが所有・管理する端末装置（ＴＳ）から、機能商品の試供品を発送した旨の報告情報を受信する受信手段（ｊ）、並びに顧客が所有・管理する端末装置（ＴＣ）と、特定の顧客に関連付けられた代理店が所有・管理する末端装置（ＴＡ）及び／又はサプライヤーが所有・管理する端末装置（ＴＳ）とに対して、機能商品の試供品を発送したことを知らせる報告情報を送信する送信手段（ｋ）；又は
受信手段（ｄ）により機能商品に関する質問に対する回答を要求する要求情報を顧客が所有・管理する端末装置（ＴＣ）から受信した場合、顧客が所有・管理する端末装置（ＴＣ）、データ格納部（４）に格納された「特定の顧客と代理店とを関連付けた顧客・代理店データ」に基づいて、特定の顧客に関連付けられた代理店が所有・管理する末端装置（ＴＡ）及びサプライヤーが所有・管理する端末装置（ＴＳ）に対して、機能商品に関する質問に対する回答情報を送信する送信手段（ｍ）を備え、
受信手段（ｊ）により受信した報告情報及び受信日時及び送信手段（ｋ）により送信した報告情報及び送信日時、又は送信手段（ｍ）により送信した回答情報及び送信日時をデータ格納部（４）に格納する格納手段（ｕ）を備える請求項１又は２に記載の販売促進システム。
【請求項４】
ホストコンピューター（ＨＣ）が送受信部（１）、送受信部（２）及び送受信部（３）を介して送受信する手段であって、
受信手段（ｄ）により機能商品の試供品を要求する要求情報を顧客が所有・管理する端末装置（ＴＣ）から受信した場合、この要求情報に含まれた顧客による試供品の評価完了時期に基づいて、顧客が所有・管理する端末装置（ＴＣ）に対して、評価状況の返信を要求する要求情報を送信する送信手段（ｎ）と、
評価状況の返信情報を顧客が所有・管理する端末装置（ＴＣ）から受信する受信手段（ｏ）と、
データ格納部（４）に格納された「特定の顧客と代理店とを関連付けた顧客・代理店データ」に基づいて、特定の顧客に関連付けられた代理店が所有・管理する端末装置（ＴＡ）及びサプライヤーが所有・管理する端末装置（ＴＳ）に対して、受信手段（ｏ）により受信した評価状況の返信情報及び受信日時を送信する送信手段（ｐ）とを備え、
送信手段（ｎ）により送信した要求情報及び送信日時、受信手段（ｏ）により受信した返信情報及び受信日時、並びに送信手段（ｐ）により送信した送信情報及び送信日時をデータ格納部（４）に格納する格納手段（ｖ）を備える請求項１〜３のいずれかに記載の販売促進システム。
【請求項５】
サプライヤーが所有・管理する端末装置（ＴＳ）が、機能商品の試供品の発送を担当する部署が所有・管理する端末装置（ＴＳＳ）、機能商品に関する質問に対して回答する部署が所有・管理する端末装置（ＴＳＱ）及び販売促進を担当する部署（ＴＳＰ）からなる群より選ばれる少なくとも１種である請求項１〜４のいずれかに記載の販売促進システム。
【請求項６】
機能商品の試供品の発送を担当する部署が所有・管理する端末装置（ＴＳＳ）が、試供品の自動発送システムと接続されている請求項５に記載の販売促進システム。
【請求項７】
試供品の自動発送システムに、試供品の自動充填手段、発送ラベルの印字手段、試供品容器の梱包手段及び梱包資材へ発送ラベルの貼付手段を含む請求項６に記載の販売促進システム。
【発明の詳細な説明】
【技術分野】
【０００１】
本発明は販売促進システムに関する。さらに詳しくは数多くの特定の顧客に対して機能商品に関する情報をいち早くかつ正確に伝え、売上及び利益を加速度的に向上させる販売促進手段として好適な販売促進システムに関する。
【背景技術】
【０００２】
機能商品は、商品説明書を読んだだけで購入できような大衆消費財とは異なり、商品説明を熟読しても、実際に試してみなければ本当に購入すべき商品であるかどうか判断できないものである。このような機能商品としては、化粧品、工業化学薬剤、健康食品が含まれる。本発明において、このような商品を機能商品という。
【０００３】
そして、従来、このような機能商品を顧客に紹介するには、営業担当者等が特定顧客と面談して機能商品の説明し、試供品を試してもらうために試供品を提供した後、営業担当者等が再び顧客と面談等により試供品の評価結果を聴取する必要がある。そして、この顧客とは別の顧客への紹介にはさらに、同様の労力及び時間を必要とし、顧客の数が増えると共に、これらの労力及び時間が倍増する。
【０００４】
一方、インターネット等を利用した商品の受発注システムとして、「ユーザからファクシミリ，電話，電子メールのいずれかにて送信された、ユーザ情報と、商品発注情報及び／又はサポート依頼情報とを含む購入依頼情報を受け付けるための受注システムと、ユーザと販売業者とで決定した商品の対価又は該商品及びサポートの対価をユーザの個人情報と共に登録した業務管理システムと、前記受注システムで受け付けられた購入依頼情報を集約し、且つ前記購入依頼情報に基づいて受注処理を行うＯ／Ｅシステム（０／Ｅシステム＝オーダーエントリーシステム）と、該Ｏ／Ｅシステムにおける受注処理に基づいて前記業務管理システムに登録した情報を参照し商品の配送及び／又はサポートを行う商品配送システムと、を有する商品受注及び配送システムにおける商品受注及び配送方法であって、前記受注システムは、前記Ｏ／Ｅシステムを介して、受け付けた購入依頼情報を前記商品配送システムに送り、該購入依頼情報に含まれる商品の配送及びサポートの提供を指示し、前記購入依頼情報に含まれる商品及びサポートの納品を確認した後に、前記業務管理システムの前記商品の対価又は該商品及びサポートの対価と前記ユーザの個人情報とに基づいて、前記購入依頼情報に含まれる商品の代金又は該商品及びサポートの代金を前記ユーザ及び／又は販売業者に請求し、前記商品配送システムは、前記購入依頼情報に基づいて配送の手配を行い、前記購入依頼情報に前記サポート依頼情報が含まれていた際には、該サポート依頼情報に含まれるサポートを商品の配送時に実行するよう納品業者に指示することを特徴とする商品受注及び配送方法。」（特許文献１）が知られている。
【０００５】
また、同様に従来の受発注システムとして、「ホストと携帯端末がネットワーク上で接続され、ホストは、在庫商品データおよび見積データを受発注情報データベースで管理し、携帯端末からの照会要求に応じて在庫商品データあるいは関連する商流の見積データを携帯端末へ送って画面表示し、携帯端末では照会した在庫商品データの画面から発注を行うことを特徴とする簡易受発注処理方法。」（特許文献２）が知られている。
【先行技術文献】
【特許文献】
【０００６】
【特許文献１】特開２００２−１７５４５３号公報
【特許文献２】特開２００２−２７９２４４号公報
【発明の概要】
【発明が解決しようとする課題】
【０００７】
従来の営業担当者等が個別に特定顧客と面談していく方法であると、機能商品に関する情報を数多くの特定の顧客に対してごく短時間に、かつ正確に伝え、特定顧客の要望をタイムリーに聴取することは、営業担当者の数を著しく増員すれば可能であるが、人件費（固定費）や変動費が膨大になり、現実的に著しく困難であるという問題がある。
【０００８】
一方、従来のインターネット等を利用した商品の受発注システムは、大衆消費財のように、商品説明書を読んだだけで購入できような商品を対象としており、実際に試してみなければ本当に購入すべき商品であるかどうか判断できない機能商品を対象とするものではないため、従来の受発注システムでは、数多くの特定の顧客に対して、機能商品に関する情報をいち早くかつ正確に伝え、特定顧客の要望をタイムリーに聴取することはできないという問題がある。
【０００９】
本発明は、数多くの特定の顧客に対して、機能商品に関する情報を、簡便にごく短時間に、かつ正確に伝え、特定顧客の要望をタイムリーに聴取できる販売促進システムを提供することを目的とする。
【課題を解決するための手段】
【００１０】
本発明の販売促進システムの特徴は、機能商品を販売するサプライヤーが所有・管理するホストコンピューター（ＨＣ）と、サプライヤーを代理する代理店が所有・管理する端末装置（ＴＡ）と、特定多数の顧客が所有・管理する端末装置（ＴＣ）と、サプライヤーが所有・管理する端末装置（ＴＳ）とがインターネット又はイントラネットを介して接続されたシステムであって、
ホストコンピューター（ＨＣ）が、顧客が所有・管理する端末装置（ＴＣ）との間でインターネットを介して送受信できる送受信部（１）と、
代理店が所有・管理する端末装置（ＴＡ）との間でインターネットを介して送受信できる送受信部（２）と、
サプライヤーが所有・管理する端末装置（ＴＳ）との間でインターネット又はイントラネットを介して送受信できる送受信部（３）と、
特定多数の顧客に関する情報データ、代理店に関する情報データ、特定の顧客と代理店とを関連付けた顧客・代理店データ及び送受信日時データを格納できるデータ格納部（４）とを備え；
【００１１】
ホストコンピューター（ＨＣ）が送受信部（１）を介して送受信する手段であって、
顧客が所有・管理する端末装置（ＴＣ）に対して、機能商品に関する情報を送信する送信手段（ａ）と、
機能商品に関する追加情報を要求する要求情報を顧客が所有・管理する端末装置（ＴＣ）から受信する受信手段（ｂ）と、
顧客が所有・管理する端末装置（ＴＣ）に対して、機能商品に関する追加情報を送信する送信手段（ｃ）とを備え；
【００１２】
ホストコンピューター（ＨＣ）が送受信部（１）、送受信部（２）及び送受信部（３）を介して送受信する手段であって、
機能商品に関する追加情報、機能商品の試供品又は機能商品に関する質問に対する回答のいずれかを要求する要求情報を顧客が所有・管理する端末装置（ＴＣ）から受信する受信手段（ｄ）と、
サプライヤーが所有・管理する端末装置（ＴＳ）に対して、受信手段（ｄ）により受信した要求情報及び受信日時を送信する送信手段（ｅ）と、
データ格納部（４）に格納された「特定の顧客と代理店とを関連付けた顧客・代理店データ」に基づいて、特定の顧客に関連付けられた代理店が所有・管理する端末装置（ＴＡ）に対して、受信手段（ｄ）により受信した要求情報及び受信日時を送信する送信手段（ｆ）とを備え；
【００１３】
送信手段（ａ）により送信した機能商品に関する情報及び送信日時、受信手段（ｂ）により受信した要求情報及び受信日時、送信手段（ｃ）により送信した機能商品に関する追加情報及び送信日時、受信手段（ｄ）により受信した要求情報及び受信日時、送信手段（ｅ）により送信した送信情報及び送信日時、並びに送信手段（ｆ）により送信した送信情報及び送信日時をデータ格納部（４）に格納する格納手段（ｓ）を備える点を要旨とする。
【発明の効果】
【００１４】
本発明の販売促進システムは、数多くの特定の顧客に対して、機能商品に関する情報を簡便にごく短時間かつ正確に伝えることができると共に、特定顧客の要望をタイムリーに聴取できる。
したがって、本発明の販売促進システムは、数多くの特定の顧客に対して機能商品に関する情報をいち早くかつ正確に伝え、売上及び利益を加速度的に向上させる販売促進手段として好適である。
【図面の簡単な説明】
【００１５】
【図１】ホストコンピューター（ＨＣ）が備えるデータ格納部（４）に格納される「特定の顧客と代理店とを関連付けた顧客・代理店データ」について、顧客と代理店又はサプライヤーとの関係の一態様を示した関連図である。
【図２】顧客が所有・管理する端末装置（ＴＣ）に対して、機能商品に関する情報を送信する送信手段（ａ）において、機能商品に関する情報の一態様を例示する情報図である。
【図３】機能商品に関する追加情報、機能商品の試供品又は機能商品に関する質問に対する回答のいずれかを要求する要求情報を顧客が所有・管理する端末装置（ＴＣ）から受信する受信手段（ｄ）において、顧客が要求情報を送信するための選択情報の一態様を例示する情報図である。
【図４】機能商品に関する追加情報、機能商品の試供品又は機能商品に関する質問に対する回答のいずれかを要求する要求情報を顧客が所有・管理する端末装置（ＴＣ）から受信する受信手段（ｄ）において、機能商品の試供品を要求する要求情報に含まれる情報の一態様を例示する情報図である。
【図５】受信手段（ｄ）により機能商品の試供品を要求する要求情報を顧客が所有・管理する端末装置（ＴＣ）から受信した場合、この要求情報に含まれた顧客による試供品の評価完了時期に基づいて、顧客が所有・管理する端末装置（ＴＣ）に対して、評価状況の返信を要求する要求情報の一態様を例示する情報図である。
【発明を実施するための最良の形態】
【００１６】
本発明において、特定多数の顧客とは、多数の特定の顧客、すなわち、素性｛住所、氏名、所属(会社名、研究機関名等)等｝の知れた顧客の多数人を意味し、不特定多数の顧客に対する用語として用いる。
また、特定の顧客とは、多数の特定の顧客のうち、ある特定の顧客を意味する。
また、本発明において、送信手段及び受信手段には、電子メールやハイパーリンクによる送受信手段が含まれる。
【００１７】
本発明の販売促進システムは、機能商品を販売するサプライヤーが所有・管理するホストコンピューター（ＨＣ）と、サプライヤーを代理する代理店が所有・管理する端末装置（ＴＡ）と、特定多数の顧客が所有・管理する端末装置（ＴＣ）と、サプライヤーが所有・管理する端末装置（ＴＳ）とがインターネット又はイントラネットを介して接続されたシステムである。これらがインターネット又はイントラネットを介して接続されていれば接続方式は何ら制限されず、ブロードバンド接続（ＡＤＳＬ、ＦＴＴＨ、ｘＤＳＬ、ＣＡＴＶモデムによる接続等）でもよいし、ナローバンド接続（ダイヤルアップ接続、ＰＨＳ等）でもよい。
【００１８】
機能商品を販売するサプライヤーが所有・管理するホストコンピューター（ＨＣ）は、サプライヤーが所有・管理でき、インターネット又はイントラネットを介して通信でき、大容量をもち主演算・制御を受け持つ上位コンピューターであれば、制限がなく使用できる。そして、ホストコンピューター（ＨＣ）は、顧客が所有・管理する端末装置（ＴＣ）との間でインターネットを介して送受信できる送受信部（１）と、代理店が所有・管理する端末装置（ＴＡ）との間でインターネットを介して送受信できる送受信部（２）と、サプライヤーが所有・管理する端末装置（ＴＳ）との間でインターネット又はイントラネットを介して送受信できる送受信部（３）と、特定多数の顧客に関する情報データ、代理店に関する情報データ、特定の顧客と代理店とを関連付けた顧客・代理店データ及び送受信日時データを格納できるデータ格納部（４）とを備えている。
【００１９】
ホストコンピューター（ＨＣ）は、送受信部（１）、送受信部（２）及び送受信部（３）をそれぞれ個別に備えていてもよいし、１つの送受信部がそれぞれの送受信を兼ねてもよい。
【００２０】
データ格納部（４）は、特定多数の顧客に関する情報データ、代理店に関する情報データ、特定の顧客と代理店とを関連付けた顧客・代理店データ及び送受信日時データを格納できれば、その形態や容量に制限はない。
特定の顧客と代理店とを関連付けた顧客・代理店データは、予め、一定の取り決めにより、特定の顧客と特定の代理店とを関連付けたデータである。一定の取り決めとしては、地域（国、地方を含む）、分野（技術分野を含む）等により、特定の顧客を特定の代理店に割り振ること等が含まれる。たとえば、図１に示すように、特定の顧客ａ１〜ａ４、ｂ１、ｃ１〜ｃ３は代理店Ａ〜Ｃに割り振られ、また、特定の顧客ｄ１は関連付けられる代理店がなく、サプライヤー（Ｚ）に関連付けられている。
【００２１】
サプライヤーを代理する代理店が所有・管理する端末装置（ＴＡ）、特定多数の顧客が所有・管理する端末装置（ＴＣ）及びサプライヤーが所有・管理する端末装置（ＴＳ）は、代理店、顧客又はサプライヤーのそれぞれが所有・管理でき、インターネット又はイントラネットを介して通信できれば制限なく、たとえば、パソコン以外に、携帯電話、メディアプレーヤー、タブレット端末及びスマートフォン等の携帯デバイスも含まれる。そして、各端末装置は、１社に１端末ではなくてもよく、たとえば、サプライヤー、代理店又は顧客に所属する複数の営業部署及び研究開発部署やこれらの各担当者が管理する複数個の端末装置が含まれる。
【００２２】
本発明の販売促進システムは、ホストコンピューター（ＨＣ）が送受信部（１）を介して送受信する手段であって、
顧客が所有・管理する端末装置（ＴＣ）に対して、機能商品に関する情報を送信する送信手段（ａ）と、
機能商品に関する追加情報を要求する要求情報を顧客が所有・管理する端末装置（ＴＣ）から受信する受信手段（ｂ）と、
顧客が所有・管理する端末装置（ＴＣ）に対して、機能商品に関する追加情報を送信する送信手段（ｃ）とを備えている。
【００２３】
顧客が所有・管理する端末装置（ＴＣ）に対して、機能商品に関する情報を送信する送信手段（ａ）において、機能商品に関する情報としては、機能商品に関する情報であれば制限がないが、機能商品の簡単な概要を含む第１情報であることが好ましい。このような第１情報としては、たとえば、図２に例示したように、消泡剤という機能商品であること（機能商品の種別）、従来品と大きく何が相違する点（機能商品の特徴点）が含まれる。なお、図２は日本語で表されているが、外国語（英語、中国語、韓国語等）で表してもよく、日本語と外国語との両方で表されていてもよい。
【００２４】
機能商品に関する情報を送信する送信手段（ａ）において、１回に送信する情報としては、１〜１０種類の機能商品に関する情報であることが好ましく、さらに好ましくは１〜５種類の機能商品に関する情報、特に好ましくは１〜３種類の機能商品に関する情報、最も好ましくは１種類の機能商品に関する情報である。たくさんの情報を送信しても顧客にその全ての情報の確認を期待できない場合が多く、少数精鋭の情報を送信することによって、確実に顧客の目に触れて貰うことが狙いである。したがって、送信手段（ａ）によって送信される機能商品に関する情報（特に第１情報）は、顧客が所有・管理する端末装置（ＴＣ）の情報表示装置（液晶ディスプレー等）に画面を大きくスクロースしなくても全体が表示できる程度の情報量であることが好ましい。また、送信手段（ａ）によって送信する頻度は、１〜３月に１〜３回程度が好ましく、さらに好ましくは１月に１回程度である。また、送信手段（ａ）によって送信される機能商品に関する情報（特に第１情報）には、機能商品の売価を含まないことが好ましい。送信手段（ａ）において、送信は、サプライヤーの指示により送信してもよいし（手動送信）、あらかじめ、サプライヤーにより送信日時及び送信内容を予約しておいて、その送信日時に自動的に送信するようにしてもよい（自動送信）。
【００２５】
機能商品に関する追加情報を要求する要求情報を顧客が所有・管理する端末装置（ＴＣ）から受信する受信手段（ｂ）において、機能商品に関する追加情報を要求する要求情報としては、送信手段（ａ）により、機能商品に関する情報（第１情報）を受信した顧客が、さらに機能商品に関する追加の情報（第２情報）を要求する情報が含まれる。たとえば、図２に例示した情報のうち、「詳細はこちら」の箇所をクリック等により選択することによって、自動的に要求情報が顧客が所有・管理する端末装置（ＴＣ）から送信され、ホストコンピューター（ＨＣ）がこの情報を受信するものである。
【００２６】
顧客が所有・管理する端末装置（ＴＣ）に対して、機能商品に関する追加情報を送信する送信手段（ｃ）において、機能商品に関する追加情報は、受信手段（ｂ）によって受信した要求情報に基づいて、顧客が所有・管理する端末装置（ＴＣ）に対して送信する機能商品に関する追加の情報が含まれる。このような追加情報としては、たとえば、図２において、「詳細はこちら」に関連付けて「動画にリンク」と例示されているように、動画情報（消泡性能やハジキを評価している例を録画した動画情報等）であってもよいし、機能商品に関する物性（固体・液体等の状態、粘度、色相、ｐｈ、比重、融点、沸点、引火点）、含有概略組成や安全性（ＭＳＤＳ情報等）を含む文字情報であってもよい。
【００２７】
本発明の販売促進システムは、ホストコンピューター（ＨＣ）が送受信部（１）、送受信部（２）及び送受信部（３）を介して送受信する手段であって、
機能商品に関する追加情報、機能商品の試供品又は機能商品に関する質問に対する回答のいずれかを要求する要求情報を顧客が所有・管理する端末装置（ＴＣ）から受信する受信手段（ｄ）と、
サプライヤーが所有・管理する端末装置（ＴＳ）に対して、受信手段（ｄ）により受信した要求情報及び受信日時を送信する送信手段（ｅ）と、
データ格納部（４）に格納された「特定の顧客と代理店とを関連付けた顧客・代理店データ」に基づいて、特定の顧客に関連付けられた代理店が所有・管理する端末装置（ＴＡ）に対して、受信手段（ｄ）により受信した要求情報及び受信日時を送信する送信手段（ｆ）とを備えている。
【００２８】
機能商品に関する追加情報、機能商品の試供品又は機能商品に関する質問に対する回答のいずれかを要求する要求情報を顧客が所有・管理する端末装置（ＴＣ）から受信する受信手段（ｄ）において、機能商品に関する追加情報、機能商品の試供品又は機能商品に関する質問に対する回答のいずれかを要求する要求情報としては、送信手段（ｃ）によって送信された追加情報を受信した顧客が選択できる要求情報が含まれる。
【００２９】
この要求情報のうち、機能商品に関する追加情報としては、送信手段（ｃ）によって送信された機能商品に関する追加情報（第２情報）とは別の情報であって、機能商品に関する詳細な情報（第３情報）が含まれ、機能商品に関する物性（固体・液体等の状態、粘度、色相、ｐｈ、比重、融点、沸点、引火点）、含有概略組成や安全性（ＭＳＤＳ情報等）を含む文字情報や、各種評価データ情報が含まれる。
【００３０】
要求情報のうち、機能商品の試供品は、機能商品を実際に試してみるためのサンプルが含まれる。顧客は、この試供品を実際に試してみて購入の検討をするかどうかについて判断できる。試供品の内容量は、予めサプライヤーが設定した選択肢の中から顧客が選択して要求できることが好ましい。顧客が自由に試供品の内容量を決定できるとすれば、その都度、その内容量の試供品を用意する必要があるのに対して、決められた選択肢の中から内容量を選択すれば、事前にその内容量の試供品を用意しておくことができ、タイムリーに試供品を提供することができる。
試供品を要求する要求情報には、評価完了時期や試供品の送付先住所（実際に評価する部署が異なる場合等）が含まれていることが好ましい。
【００３１】
要求情報のうち、機能商品に関する質問は、顧客がサプライヤーにする質問が含まれる。
【００３２】
この要求情報は、送信手段（ｃ）によって送信された追加情報（第２情報）と共に送信される選択情報を受信した顧客が選択して送信する情報が含まれる。選択情報としては、たとえば、図３に示したように、「製品詳細」、「サンプル請求」、「お問い合わせ」の各アイコンのうちいずれかをクリックすることにより、自動的に各要求情報が送信されるようにしてもよい。この場合、「サンプル請求」のアイコンをクリックした後、試供品を要求する要求情報として、たとえば図４に示したように、試供品の内容量、評価完了時期、試供品の送付先住所を選択又は入力し、「サンプルを依頼する」のアイコンをクリックすることにより要求情報が送信されるようにしてもよい。なお、図４において、▼はプルダウンによって選択できることを示している（以下、同様である。たとえば、数量の欄はプルダウンを展開した状態を示している。）。また、「変更」をクリックすることにより、お客様情報を変更することができるようになっている。また、「サンプルを依頼する」をクリックすることにより、この情報が送信され、ホストコンピュター（ＨＣ）が受信手段（ｄ）により受信する。なお、図３、４は日本語で表されているが、外国語（英語、中国語、韓国語等）で表してもよく、日本語と外国語との両方で表されていてもよい。
【００３３】
サプライヤーが所有・管理する端末装置（ＴＳ）に対して、受信手段（ｄ）により受信した要求情報及び受信日時を送信する送信手段（ｅ）において、サプライヤーが所有・管理する端末装置（ＴＳ）は、サプライヤーに所属し、その顧客を担当する担当部署又は担当者が管理する末端装置であることが好ましい（他の送受信手段においても、以下、同じである。）。そして、受信手段（ｄ）により受信した要求情報及び受信日時を担当部署又は担当者に送信することにより、担当部署又は担当者はいち早く、顧客の動向を把握できる。
【００３４】
データ格納部（４）に格納された「特定の顧客と代理店とを関連付けた顧客・代理店データ」に基づいて、特定の顧客に関連付けられた代理店が所有・管理する端末装置（ＴＡ）に対して、受信手段（ｄ）により受信した要求情報及び受信日時を送信する送信手段（ｆ）において、この代理店に、受信手段（ｄ）により受信した要求情報及び受信日時を送信することにより、代理店はいち早く、顧客の動向を把握できる。なお、特定顧客に関連付けられた代理店が「顧客・代理店データ」にない場合、どの代理店にもこの要求情報は送信されない（この場合、サプライヤーに直接関連付けられる。）。
また、送信手段（ｅ）及び送信手段（ｆ）により、サプライヤー及び代理店が顧客の動向に関する情報を共通して把握できる。
【００３５】
本発明の販売促進システムは、送信手段（ａ）により送信した機能商品に関する情報及び送信日時、受信手段（ｂ）により受信した要求情報及び受信日時、送信手段（ｃ）により送信した機能商品に関する追加情報及び送信日時、受信手段（ｄ）により受信した要求情報及び受信日時、送信手段（ｅ）により送信した送信日時、並びに送信手段（ｆ）により送信した送信日時をデータ格納部（４）に格納する格納手段（ｓ）を備えている。
【００３６】
格納手段（ｓ）は、送信手段（ａ）により送信した機能商品に関する情報及び送信日時、受信手段（ｂ）により受信した要求情報及び受信日時、送信手段（ｃ）により送信した機能商品に関する追加情報及び送信日時、受信手段（ｄ）により受信した要求情報及び受信日時、送信手段（ｅ）により送信した送信情報及び送信日時；並びに送信手段（ｆ）により送信した送信情報及び送信日時をデータ格納部（４）に格納できれば何ら制限ないが、これらの情報を各特定顧客と関連つけてデータ格納部（４）に格納することが好ましい。
【００３７】
本発明の販売促進システムは、ホストコンピューター（ＨＣ）が送受信部（１）、送受信部（２）及び送受信部（３）を介して送受信する手段であって、
顧客が所有・管理する端末装置（ＴＣ）に対して、機能商品に関する追加情報を送信する送信手段（ｇ）；
データ格納部（４）に格納された「特定の顧客と代理店とを関連付けた顧客・代理店データ」に基づいて、特定の顧客に関連付けられた代理店が所有・管理する末端装置（ＴＡ）又はサプライヤーが所有・管理する端末装置（ＴＳ）に対して、機能商品の試供品の発送を指示する指示情報を送信する送信手段（ｈ）；又は、
サプライヤーが所有・管理する端末装置（ＴＳ）に対して、機能商品に関する質問に対して回答を指示する指示情報を送信する送信手段（ｉ）を備え、
送信手段（ｇ）により送信した追加情報及び送信日時、送信手段（ｈ）により送信した指示情報及び送信日時、又は送信手段（ｉ）により送信した指示情報及び送信日時をデータ格納部（４）に格納する格納手段（ｔ）を備えることが好ましい。
【００３８】
顧客が所有・管理する端末装置（ＴＣ）に対して、機能商品に関する追加情報を送信する送信手段（ｇ）において、機能商品に関する追加情報は、受信手段（ｄ）により受信した要求情報に基づいて提供される機能商品に関する詳細な情報（第３情報）が含まれる。
【００３９】
送信手段（ｈ）は、機能商品の試供品の発送を指示する指示情報を送信する送信手段であり、データ格納部（４）に格納された「特定の顧客と代理店とを関連付けた顧客・代理店データ」に基づいて、特定の顧客に関連付けられた代理店が所有・管理する末端装置（ＴＡ）又はサプライヤーが所有・管理する端末装置（ＴＳ）に対して指示情報を送信するものである。すなわち、サプライヤーが所有・管理する端末装置（ＴＳ）にも送信され得るのは、顧客の中には代理店がまだ決定されていない場合や、代理店がなく直接取引を希望する顧客が存在するためである。そして、試供品の発送の指示情報を代理店に送信するのは、顧客の住所に近い代理店からタイムリーに試供品を発送できるからである。たとえば、サプライヤーの試供品のストックポイントが東京都及び大阪府にしかない場合において、北海道や沖縄県、フィリピン、インドの代理店に試供品の発送の指示情報を送信することが時間短縮につながる。
【００４０】
サプライヤーが所有・管理する端末装置（ＴＳ）に対して、機能商品に関する質問に対して回答を指示する指示情報を送信する送信手段（ｉ）において、指示情報を受信した端末装置（ＴＳ）を所有・管理するサプライヤー（担当部署又は担当者）は、本発明の販売促進システムを介して回答してもよいし、別の伝達手段（電話、郵便、ファクシミリ、電子メール、面談、伝言等）によって回答してもよい。
【００４１】
格納手段（ｔ）は、送信手段（ｇ）により送信した追加情報及び送信日時、送信手段（ｈ）により送信した指示情報及び送信日時、又は送信手段（ｉ）により送信した指示情報及び送信日時をデータ格納部（４）に格納できれば何ら制限ないが、これらの情報を各特定顧客と関連つけてデータ格納部（４）に格納することが好ましい。
【００４２】
本発明の販売促進システムは、ホストコンピューター（ＨＣ）が送受信部（１）、送受信部（２）及び送受信部（３）を介して送受信する手段であって、
受信手段（ｄ）により機能商品の試供品を要求する要求情報を顧客が所有・管理する端末装置（ＴＣ）から受信した場合、代理店が所有・管理する末端装置（ＴＡ）又はサプライヤーが所有・管理する端末装置（ＴＳ）から、機能商品の試供品を発送した旨の報告情報を受信する受信手段（ｊ）、並びに顧客が所有・管理する端末装置（ＴＣ）と、特定の顧客に関連付けられた代理店が所有・管理する末端装置（ＴＡ）及び／又はサプライヤーが所有・管理する端末装置（ＴＳ）とに対して、機能商品の試供品を発送したことを知らせる報告情報を送信する送信手段（ｋ）；又は
受信手段（ｄ）により機能商品に関する質問に対する回答を要求する要求情報を顧客が所有・管理する端末装置（ＴＣ）から受信した場合、顧客が所有・管理する端末装置（ＴＣ）、データ格納部（４）に格納された「特定の顧客と代理店とを関連付けた顧客・代理店データ」に基づいて、特定の顧客に関連付けられた代理店が所有・管理する末端装置（ＴＡ）及びサプライヤーが所有・管理する端末装置（ＴＳ）に対して、機能商品に関する質問に対する回答情報を送信する送信手段（ｍ）を備え、
受信手段（ｊ）により受信した報告情報及び受信日時及び送信手段（ｍ）により送信した報告情報及び送信日時；又は送信手段（ｋ）により送信した回答情報及び送信日時をデータ格納部（４）に格納する格納手段（ｕ）を備えることが好ましい。
【００４３】
代理店が所有・管理する末端装置（ＴＡ）又はサプライヤーが所有・管理する端末装置（ＴＳ）から、機能商品の試供品を発送した旨の報告情報を受信する受信手段（ｊ）は、機能商品の試供品の発送を指示する指示情報を送信する送信手段（ｈ）により試供品を発送した代理店又はサプライヤーのそれぞれが所有・管理する端末装置（ＴＡ又はＴＳ）から試供品を発送した事実及び発送日時に関する報告情報を送信し、これらの情報をホストコンピューター（ＨＣ）が受信するものである。
【００４４】
機能商品の試供品を発送したことを知らせる報告情報を送信する送信手段（ｋ）は、ホストコンピューター（ＨＣ）が、顧客が所有・管理する端末装置（ＴＣ）、特定の顧客に関連付けられた代理店が所有・管理する末端装置（ＴＡ）及び／又はサプライヤーが所有・管理する端末装置（ＴＳ）に対して、この報告情報を送信するものである。なお、サプライヤーが試供品を送付した場合であっても、サプライヤーは複数の端末装置（ＴＳ）を所有している場合、試供品の発送を担当しなかった部署又は担当者の端末装置（ＴＳ）へこの報告情報が送信される（サプライヤーではなく、代理店が試供品を送付した場合も同様である。）。一方、端末装置（ＴＡ）が一つしかない代理店が試供品を発送した場合、この報告情報はこの端末装置（ＴＡ）へ必ずしも送信する必要はない。この報告情報の送信により、顧客は試供品のおおよその到着日時を予測でき、代理店及びサプライヤーは試供品が発送されたことを確認できる。
【００４５】
回答情報を送信する送信手段（ｍ）は、機能商品に関する質問に対して回答を指示する指示情報を送信する送信手段（ｉ）により質問に対する回答をしたサプライヤーが所有・管理する端末装置（ＴＳ）から質問に対する回答をした事実及びその日時に関する回答情報をホストコンピューター（ＨＣ）に送信し、ホストコンピューター（ＨＣ）が、顧客が所有・管理する端末装置（ＴＣ）、特定の顧客に関連付けられた代理店が所有・管理する末端装置（ＴＡ）及びサプライヤーが所有・管理する端末装置（ＴＳ）に対して、この回答情報を送信するものである。この回答情報の送信により、顧客は回答の再確認でき、代理店及びサプライヤーは回答されたことを確認できる。なお、この送信手段（ｉ）によって、回答した事実だけではなく、質問に対する回答を行ってもよい。
【００４６】
格納手段（ｕ）は、受信手段（ｊ）により受信した報告情報及び受信日時及び送信手段（ｋ）により送信した報告情報及び送信日時、又は送信手段（ｍ）により送信した回答情報及び送信日時をデータ格納部（４）に格納できれば何ら制限ないが、これらの情報を各特定顧客と関連つけてデータ格納部（４）に格納することが好ましい。
【００４７】
本発明の販売促進システムは、ホストコンピューター（ＨＣ）が送受信部（１）、送受信部（２）及び送受信部（３）を介して送受信する手段であって、
受信手段（ｄ）により機能商品の試供品を要求する要求情報を顧客が所有・管理する端末装置（ＴＣ）から受信した場合、この要求情報に含まれた顧客による試供品の評価完了時期に基づいて、顧客が所有・管理する端末装置（ＴＣ）に対して、評価状況の返信を要求する要求情報を送信する送信手段（ｎ）と、
評価状況の返信情報を顧客が所有・管理する端末装置（ＴＣ）から受信する受信手段（ｏ）と、
データ格納部（４）に格納された「特定の顧客と代理店とを関連付けた顧客・代理店データ」に基づいて、特定の顧客に関連付けられた代理店が所有・管理する端末装置（ＴＡ）及びサプライヤーが所有・管理する端末装置（ＴＳ）に対して、受信手段（ｏ）により受信した評価状況の返信情報及び受信日時を送信する送信手段（ｐ）とを備え、
送信手段（ｎ）により送信した要求情報及び送信日時、受信手段（ｏ）により受信した返信情報及び受信日時、並びに送信手段（ｐ）により送信した送信情報及び送信日時をデータ格納部（４）に格納する格納手段（ｖ）を備えることが好ましい。
【００４８】
送信手段（ｎ）は、受信手段（ｄ）により機能商品の試供品を要求する要求情報を顧客が所有・管理する端末装置（ＴＣ）から受信した場合、この要求情報に含まれた顧客による試供品の評価完了時期に基づいて、顧客が所有・管理する端末装置（ＴＣ）に対して、評価状況の返信を要求する要求情報を送信するものである。この要求情報には、評価が完了したかどうかを問う質問情報、まだ評価が完了していない場合、評価完了時期を問う質問情報、サプライヤーの担当者からの連絡又は面談を希望するかどうかを問う質問情報、その他の要望を問う質問情報が含まれる。この要求情報として、たとえば、図５に示したような要求情報が挙げられる。この送信手段（ｎ）は、評価完了時期に基づいて、サプライヤーが予め設定した日時に送信されるが、顧客からの評価状況の返信情報を受領するまで繰り返し送信される。この繰り返し期間はサプライヤーが自由に設定できる。
【００４９】
受信手段（ｏ）は、送信手段（ｎ）に基づいて、評価状況の返信情報を顧客が所有・管理する端末装置（ＴＣ）から受信するものである。
【００５０】
送信手段（ｐ）は、受信手段（ｏ）により受信した評価状況の返信情報及び受信日時を、特定の顧客に関連付けられた代理店が所有・管理する端末装置（ＴＡ）及びサプライヤーが所有・管理する端末装置（ＴＳ）に対して送信するものである。この情報に基づいて、代理店又はサプライヤー（担当部署又は担当者）が顧客の試供品の評価状況を知ることができ、代理店及び／又は担当者が連絡又は面談して、商談（さらに評価を要するかどうか、購入する場合、購入数量、購入頻度、売価等）を進めることができる。
【００５１】
格納手段（ｖ）は、送信手段（ｎ）により送信した要求情報及び送信日時、受信手段（ｏ）により受信した返信情報及び受信日時、並びに送信手段（ｐ）により送信した送信情報及び送信日時をデータ格納部（４）に格納できれば何ら制限ないが、これらの情報を各特定顧客と関連つけてデータ格納部（４）に格納することが好ましい。
【００５２】
本発明の販売促進システムは、サプライヤーが所有・管理する端末装置（ＴＳ）が、機能商品の試供品の発送を担当する部署が所有・管理する端末装置（ＴＳＳ）、機能商品に関する質問に対して回答する部署が所有・管理する端末装置（ＴＳＱ）及び販売促進を担当する部署（ＴＳＰ）からなる群より選ばれる少なくとも１種であることが好ましい。
【００５３】
本発明の販売促進システムは、機能商品の試供品の発送を担当する部署が所有・管理する端末装置（ＴＳＳ）が、試供品の自動発送システムと接続されていることが好ましい。
試供品の自動発送システムには、試供品の自動充填手段、発送ラベルの印字手段、試供品容器の梱包手段及び梱包資材へ発送ラベルの貼付手段を含むことが好ましい。
試供品の自動充填手段は、機能商品の試供品の発送を担当する部署が所有・管理する端末装置（ＴＳＳ）からの情報（機能商品の種類、内容量、個数等）によって、機能商品が専用容器に自動的に充填されるものであり、公知の自動充填機等が適用できる。この自動充填手段には、機能商品の名称をラベルに印字し、専用容器に貼付ることを含むことが好ましい。また、発送ラベルの印字手段は、端末装置（ＴＳＳ）からの情報（発送先の住所、電話番号、受取人名等）によって、発送ラベルが自動的に印字されるものであり、公知の発送ラベル印字機等が適用できる。また、試供品容器の梱包手段及び梱包資材へ発送ラベルの貼付手段は、端末装置（ＴＳＳ）からの情報によって、自動的に試供品が充填された専用容器を梱包資材に入れ、必要により緩衝材を挿入し、密封した後、発送ラベルを貼付るものであり、公知の梱包・貼付機等が適用できる。
【図１】
2014016750.tif 000003
【図２】
2014016750.tif 000004
【図３】
2014016750.tif 000005
【図４】
2014016750.tif 000006
【図５】
2014016750.tif 000007